(57)【要約】【課題】コネクタの破損などを効果的に防止しつつ簡単且つ確実にワイヤハーネスの端末部分の仮保持を行わせ得るようにする。【解決手段】被配索体１７にワイヤハーネス１１が配索され、該ワイヤハーネス１１の端末にコネクタ１２が取付けられ、該コネクタ１２が、相手方コネクタに対して嵌合可能なコネクタ本体１３と、相手方コネクタの係止部に対して係止固定可能な弾性係止片１４とを有し、前記被配索体１７がワイヤハーネス１１の端末部分を仮保持可能な端末部分仮保持部２１を備えたワイヤハーネス端末部仮保持構造であって、前記端末部分仮保持部２１が、コネクタ本体１３を差込可能な差込部２２と、弾性係止片１４を撓める弾撥力蓄積部２３と、弾性係止片１４の弾撥力によってコネクタ本体１３を不完全係止状態で弾性保持可能な弾着部２４とを有するコネクタ仮保持部２５であるようにしている。【選択図】図１
2008153178.tif 000002
【特許請求の範囲】
【請求項１】
被配索体にワイヤハーネスが配索され、
該ワイヤハーネスの端末にコネクタが取付けられ、
該コネクタが、相手方コネクタに対して嵌合可能なコネクタ本体と、相手方コネクタの係止部に対して係止固定可能な弾性係止片とを有し、
前記被配索体がワイヤハーネスの端末部分を仮保持可能な端末部分仮保持部を備えたワイヤハーネス端末部仮保持構造において、
前記端末部分仮保持部が、コネクタ本体を差込可能な差込部と、弾性係止片を撓める弾撥力蓄積部と、弾性係止片の弾撥力によってコネクタ本体を不完全係止状態で弾性保持可能な弾着部とを有するコネクタ仮保持部であることを特徴とするワイヤハーネス端末部仮保持構造。
【請求項２】
前記コネクタ仮保持部が、コネクタ本体を差込んで横スライド可能なスライド穴であり、
該スライド穴が、一端側に差込部となる広幅部を有し、中間部に弾性係止片を撓める漸縮部を有し、他端側に弾着部となる狭幅部を有する、先細形状を呈したことを特徴とする請求項１記載のワイヤハーネス端末部仮保持構造。
【発明の詳細な説明】
【技術分野】
【０００１】
この発明は、ワイヤハーネス端末部仮保持構造に関するものである。
【背景技術】
【０００２】
自動車などの車両には、各種の電子機器類が搭載されている。このような電子機器類に対して、電力を供給したり、信号の伝達を行わせたりするために、車両には電力通信線網が設けられている。
【０００３】
このような電力通信線網を構築するために、車体やその構成部品などの被配索体には、必要に応じてワイヤハーネスが予め配索される。そして、車体に対して構成部品を組付けた後で、構成部品に配索されたワイヤハーネスを車体に予め配索されたワイヤハーネスに接続することにより、上記した電力通信線網が徐々に構築されて行くようにしている。
【０００４】
このような接続のために各ワイヤハーネスの端末には、コネクタが取付けられている。このコネクタは、例えば、相手方コネクタに対して嵌合可能なコネクタ本体と、相手方コネクタの係止部に対して係止固定可能な弾性係止片とを有している。そして、コネクタと相手方コネクタとを嵌合し、弾性係止片と係止部とを係止固定させることによって、ワイヤハーネスどうしの接続をワンタッチで行わせることが可能となる。
【０００５】
また、コネクタどうしの接続作業のために、ワイヤハーネスの端末部分は、所要の作業用余長部を有するフリーなものとされている。そのために、車体やその構成部品などの被配索体には、コネクタどうしの接続作業が行われるまでの間に、ワイヤハーネスの端末部分がブラ付くのを防止することなどを目的として、ワイヤハーネスの端末部分を仮保持しておくための端末部分仮保持部が備えられている（例えば、特許文献１参照）。
【０００６】
図３の場合、端末部分仮保持部１として、被配索体２にワイヤハーネス３の作業用余長部３ａを直接係止固定可能な切欠部４を形成するようにしている。なお、図３中、符号５はコネクタである。
【特許文献１】特開平９−１９０３１号公報
【発明の開示】
【発明が解決しようとする課題】
【０００７】
しかしながら、端末部分仮保持部１として、被配索体２にワイヤハーネス３の作業用余長部３ａを直接係止固定可能な切欠部４を形成した場合、構造が簡単で容易にワイヤハーネス３の端末部分を係止することができる反面、コネクタ４が宙に浮いた状態となるため、不安定であり、コネクタ４の破損の心配もある。また、切欠部４の大きさとワイヤハーネス３の太さとの関係が適正でない場合には、ワイヤハーネス３を係止し難くなったり、ワイヤハーネス３が外れ易くなったりするため、作業性や確実性に欠ける。
【課題を解決するための手段】
【０００８】
上記課題を解決するために、請求項１に記載された発明では、被配索体にワイヤハーネスが配索され、該ワイヤハーネスの端末にコネクタが取付けられ、該コネクタが、相手方コネクタに対して嵌合可能なコネクタ本体と、相手方コネクタの係止部に対して係止固定可能な弾性係止片とを有し、前記被配索体がワイヤハーネスの端末部分を仮保持可能な端末部分仮保持部を備えたワイヤハーネス端末部仮保持構造において、前記端末部分仮保持部が、コネクタ本体を差込可能な差込部と、弾性係止片を撓める弾撥力蓄積部と、弾性係止片の弾撥力によってコネクタ本体を不完全係止状態で弾性保持可能な弾着部とを有するコネクタ仮保持部であることを特徴としている。
【０００９】
請求項２に記載された発明では、前記コネクタ仮保持部が、コネクタ本体を差込んで横スライド可能なスライド穴であり、該スライド穴が、一端側に差込部となる広幅部を有し、中間部に弾性係止片を撓める漸縮部を有し、他端側に弾着部となる狭幅部を有する、先細形状を呈した請求項１記載のワイヤハーネス端末部仮保持構造を特徴としている。
【発明の効果】
【００１０】
請求項１の発明によれば、端末部分仮保持部が、コネクタ本体を差込可能な差込部と、弾性係止片を撓める弾撥力蓄積部と、弾性係止片の弾撥力によってコネクタ本体を不完全係止状態で弾性保持可能な弾着部とを有するコネクタ仮保持部であることにより、差込部へコネクタ本体を差込み、弾撥力蓄積部で弾性係止片を撓め、弾着部で弾性係止片の弾撥力によってコネクタ本体を不完全係止状態で弾性保持させることで、コネクタ仮保持部にコネクタを半嵌合状態で直接仮保持させることができるようになるため、簡単且つ確実にワイヤハーネスの端末部分の仮保持を行わせることができる。しかも、コネクタの部分を直接仮保持させるようにしているので、コネクタが宙に浮いた状態とならずに、安定してワイヤハーネスの端末部分を仮保持させることが可能となる。よって、コネクタの破損などを効果的に防止することができる。
【００１１】
請求項２の発明によれば、コネクタ仮保持部が、コネクタ本体を差込んで横スライド可能なスライド穴であり、該スライド穴が、一端側に差込部となる広幅部を有し、中間部に弾性係止片を撓める漸縮部を有し、他端側に弾着部となる狭幅部を有する、先細形状を呈したことにより、コネクタ本体を、スライド穴の一端側の広幅部へ差込み、中間部の漸縮部に沿って、他端側の狭幅部まで横スライドさせるのみの簡単な操作で、確実にコネクタ本体をコネクタ仮保持部に半嵌合状態で仮保持させることができる。反対に、コネクタ本体を、スライド穴の他端側の狭幅部から、中間部の漸縮部に沿って、一端側の広幅部へと横スライドさせ、一端側の広幅部から引抜くことにより、簡単且つ確実にコネクタ本体を解放してワイヤハーネスの端末部分をフリーにすることができる。このようなスライド穴は、構造が簡単であるため、コストをかけずに容易に形成することができる。また、スライド穴は、漸縮部が有する楔（くさび）効果によって弾性係止片を撓めるようにするため、スライド穴とコネクタ本体との間に若干の大きさの違いがあっても、これを吸収して支障無く機能させることが可能である。
【発明を実施するための最良の形態】
【００１２】
以下、本発明を具体化した実施例について、図示例と共に説明する。
【実施例】
【００１３】
図１、図２は、この発明の実施例を示すものである。
【００１４】
まず、構成について説明する。
【００１５】
自動車などの車両には、各種の電子機器類が搭載されている。このような電子機器類に対して、電力を供給したり、信号の伝達を行わせたりするために、車両には電力通信線網が設けられる。
【００１６】
このような電力通信線網を構築するために、車体やその構成部品などの被配索体には、必要に応じてワイヤハーネス１１が予め配索される。
【００１７】
ワイヤハーネス１１どうしの接続のために各ワイヤハーネス１１の端末には、コネクタ１２が取付けられる。このコネクタ１２は、例えば、相手方コネクタに対して嵌合可能なコネクタ本体１３と、相手方コネクタの係止部に対して係止固定可能な弾性係止片１４とを有している。
【００１８】
そして、コネクタ１２どうしの接続作業のために、ワイヤハーネス１１の端末部分は、所要の作業用余長部１１ａを有するフリーなものとされる。そのために、車体やその構成部品などの被配索体１７には、コネクタ１２どうしの接続作業が行われるまでの間に、ワイヤハーネス１１の端末部分がブラ付くのを防止することなどを目的として、ワイヤハーネス１１の端末部分を仮保持しておくための端末部分仮保持部２１が備えられる。
【００１９】
以上の構成については、上記した従来例とほぼ同様である。
【００２０】
そして、以上のような基本構成に対し、この実施例のものでは、端末部分仮保持部２１を、コネクタ本体１３を差込可能な差込部２２と、弾性係止片１４を撓める弾撥力蓄積部２３と、弾性係止片１４の弾撥力によってコネクタ本体１３を不完全係止状態で弾性保持可能な弾着部２４とを有するコネクタ仮保持部２５としている。
【００２１】
より具体的には、コネクタ仮保持部２５を、コネクタ本体１３を差込んで横スライド可能なスライド穴２６とする。このスライド穴２６を、一端側に差込部２２となる広幅部２７を有し、中間部に弾性係止片１４を撓める漸縮部２８を有し、他端側に弾着部２４となる狭幅部２９を有する、先細形状を呈のものとする。
【００２２】
ここで、広幅部２７の幅寸法は、弾性係止片１４が撓んでいない状態でコネクタ本体１３と弾性係止片１４とを余裕を有して収容可能な程度のものとする。スライド穴２６は、この場合には、平面視ほぼ台形状などとするのが好ましい。
【００２３】
また、必要に応じて、図２に示すように、スライド穴２６の周縁部にフランジ部３１を設けるようにしても良い。このフランジ部３１は、コネクタ本体１３に対する接触面積の拡大を図ると共に、弾性係止片１４の係止部にジャストフィットしないような厚みのものとする。フランジ部３１は、被配索体１７の片面または両面どちらに設けても良い。
【００２４】
次に、この実施例の作用について説明する。
【００２５】
車体（被配索体１７）に対して構成部品（被配索体１７）を組付けた後で、構成部品に予め配索されたワイヤハーネス１１を車体に配索されたワイヤハーネス１１に接続することにより、電力通信線網を徐々に構築して行くようにする。
【００２６】
ワイヤハーネス１１どうしの接続は、コネクタ１２と相手方コネクタとを嵌合し、弾性係止片１４と係止部とを係止固定させることによって、ワンタッチで行わせることができる。
【００２７】
そして、車体やその構成部品などの被配索体１７に端末部分仮保持部２１を設けて、ワイヤハーネス１１の端末部分を仮保持させておくことにより、コネクタ１２どうしの接続作業が行われるまでの間に、ワイヤハーネス１１の端末部分がブラ付くのを防止すると共に、コネクタ１２どうしの接続作業の際に、簡単にワイヤハーネス１１の端末部分をフリーな状態とすることができる。
【００２８】
この実施例では、端末部分仮保持部２１が、コネクタ本体１３を差込可能な差込部２２と、弾性係止片１４を撓める弾撥力蓄積部２３と、弾性係止片１４の弾撥力によってコネクタ本体１３を不完全係止状態で弾性保持可能な弾着部２４とを有するコネクタ仮保持部２５であることにより、差込部２２へコネクタ本体１３を差込み、弾撥力蓄積部２３で弾性係止片１４を撓め、弾着部２４で弾性係止片１４の弾撥力によってコネクタ本体１３を不完全係止状態で弾性保持させることで、コネクタ仮保持部２５にコネクタ１２を半嵌合状態で直接仮保持させることができるようになるため、簡単且つ確実にワイヤハーネス１１の端末部分の仮保持を行わせることができる。
【００２９】
しかも、コネクタ１２の部分を直接仮保持させるようにしているので、コネクタ１２が宙に浮いた状態とならずに、安定してワイヤハーネス１１の端末部分を仮保持させることが可能となる。よって、コネクタ１２の破損などを効果的に防止することができる。
【００３０】
また、コネクタ仮保持部２５が、コネクタ本体１３を差込んで横スライド可能なスライド穴２６であり、スライド穴２６が、一端側に差込部２２となる広幅部２７を有し、中間部に弾性係止片１４を撓める漸縮部２８を有し、他端側に弾着部２４となる狭幅部２９を有する、先細形状を呈したことにより、コネクタ本体１３を、スライド穴２６の一端側の広幅部２７へ差込み、中間部の漸縮部２８に沿って、他端側の狭幅部２９まで横スライドさせるのみの簡単な操作で、確実にコネクタ本体１３をコネクタ仮保持部２５に半嵌合状態で仮保持させることができる。
【００３１】
反対に、コネクタ本体１３を、スライド穴２６の他端側の狭幅部２９から、中間部の漸縮部２８に沿って、一端側の広幅部２７へと横スライドさせ、一端側の広幅部２７から引抜くことにより、簡単且つ確実にコネクタ本体１３を解放してワイヤハーネス１１の端末部分をフリーにすることができる。
【００３２】
このようなスライド穴２６は、構造が簡単であるため、コストをかけずに容易に形成することができる。また、スライド穴２６は、漸縮部２８が有する楔（くさび）効果によって弾性係止片１４を撓めるようにするため、スライド穴２６とコネクタ本体１３との間に若干の大きさの違いがあっても、これを吸収して支障無く機能させることが可能である。
【００３３】
また、必要に応じて、図２に示すように、スライド穴２６の周縁部にフランジ部３１を設けた場合には、コネクタ本体１３に対する接触面積が拡大されるため、コネクタ本体１３をより安定して仮保持することが可能となる。また、フランジ部３１が、弾性係止片１４の係止部にジャストフィットしないような厚みを有することにより、弾性係止片１４が外れに難くなるようなことがない。
【００３４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、各実施例に複数の構成が含まれている場合には、これらの構成の可能な組合せが含まれることは勿論である。また、複数の実施例や変形例が示されている場合には、これらに跨がった構成の組合せのうちの可能なものが含まれることは勿論である。
【図面の簡単な説明】
【００３５】
【図１】本発明の実施例の斜視図である。
【図２】図１の縦断面図である。
【図３】従来例の斜視図である。
【符号の説明】
【００３６】
１１  ワイヤハーネス
１２  コネクタ
１３  コネクタ本体
１４  弾性係止片
１７  被配索体
２１  端末部分仮保持部
２２  差込部
２３  弾撥力蓄積部
２４  弾着部
２５  コネクタ仮保持部
２６  スライド穴
２７  広幅部
２８  漸縮部
２９  狭幅部
【図１】
2008153178.tif 000003
【図２】
2008153178.tif 000004
【図３】
2008153178.tif 000005